(57)【要約】【課題】  出側配管の途中に試験用チーを予め接続しておくことなく、また、特に熟練を要することもなく、新規ガスメータ内にも、出側配管内にも空気が残留しないように、既設ガスメータを新規ガスメータに交換できるようにする。【解決手段】  入側口金１ａと出側口金１ｂを入側配管２ａと出側配管２ｂに着脱自在に接続してある既設ガスメータを新規ガスメータＢに交換するガスメータ交換方法であって、入側口金とガスメータ内部とを連通状態と遮断状態とに切り換え自在な入側開閉手段５ａと、出側口金とガスメータ内部とを連通状態と遮断状態とに切り換え自在な出側開閉手段５ｂとを備えた新規ガスメータにガスを充填して、各開閉手段を遮断状態に切り換えておき、既設ガスメータを入側配管と出側配管から外して、新規ガスメータを入側配管と出側配管に接続した後、各開閉手段を連通状態に切り換えて、新規ガスメータに交換する。【選択図】        図４
2006053071.tif 000002
【特許請求の範囲】
【請求項１】
入側口金を入側配管に着脱自在に接続してあるとともに、出側口金を出側配管に接続してある既設ガスメータを、新規ガスメータに交換するガスメータ交換方法であって、
入側口金とガスメータ内部とを連通状態と遮断状態とに切り換え自在な入側開閉手段と、出側口金とガスメータ内部とを連通状態と遮断状態とに切り換え自在な出側開閉手段とを備えた新規ガスメータを使用して、その新規ガスメータにガスを充填して、前記入側開閉手段と前記出側開閉手段とを遮断状態に切り換えておき、
前記既設ガスメータの前記入側口金と前記出側口金を前記入側配管と前記出側配管から外して、前記新規ガスメータの前記入側口金と前記出側口金を前記入側配管と前記出側配管に接続し、
その後、前記入側開閉手段と前記出側開閉手段とを連通状態に切り換えて、前記既設ガスメータを前記新規ガスメータに交換するガスメータ交換方法。
【請求項２】
入側口金を入側配管に着脱自在に接続してあるとともに、出側口金を出側配管に接続してある既設ガスメータを、新規ガスメータに交換するガスメータ交換方法であって、
互いに接続自在な一対のカプラーを設け、それらカプラーの各々に、互いに接続することによって開作動する常閉式の開閉手段を設け、
前記一対のカプラーのうちの一方を、前記新規ガスメータの入側口金と出側口金の各々に取り付けて、その新規ガスメータにガスを充填しておき、
前記既設ガスメータを前記入側配管と前記出側配管から外して、その入側配管と出側配管の各々に、前記一対のカプラーのうちの他方を取り付け、
その後、前記入側配管と前記出側配管の各々に取り付けてある前記他方のカプラーに、前記新規ガスメータの入側口金と出側口金の各々に取り付けてある前記一方のカプラーを接続して、前記既設ガスメータを前記新規ガスメータに交換するガスメータ交換方法。
【請求項３】
入側口金を入側配管に着脱自在に接続してあるとともに、出側口金を出側配管に接続してある既設ガスメータを、新規ガスメータに交換するガスメータ交換方法であって、
互いに接続自在な一対のカプラーを設け、それらカプラーを互いに接続することによって開作動する常閉式の開閉手段を前記一対のカプラーのうちの一方に設け、
前記開閉手段を設けていない他方のカプラーを、新規ガスメータの入側口金と出側口金の各々に取り付けておき、
前記既設ガスメータを前記入側配管と前記出側配管から外して、その入側配管と出側配管の各々に、前記一方のカプラーを取り付けた後、
前記新規ガスメータの入側口金に取り付けてある前記他方のカプラーのみを前記入側配管に取り付けてある前記一方のカプラーと接続して、前記入側配管から流入するガスで、前記新規ガスメータ内の空気を前記出側口金に取り付けてある前記他方のカプラーを通して排出するエアパージを実施し、
その後、前記出側口金に取り付けてある前記他方のカプラーを前記出側配管に取り付けてある前記一方のカプラーに接続して、前記既設ガスメータを前記新規ガスメータに交換するガスメータ交換方法。
【発明の詳細な説明】
【技術分野】
【０００１】
本発明は、入側口金を入側配管に着脱自在に接続してあるとともに、出側口金を出側配管に接続してある既設ガスメータを、新規ガスメータに交換するガスメータ交換方法に関する。
【背景技術】
【０００２】
上記ガスメータ交換方法では、既設ガスメータに代えて、新規ガスメータを入側配管と出側配管とに接続したときに、新規ガスメータ内に空気が残留しないよう接続する必要があるが、新規ガスメータ内の残留空気を排除する所謂エアパージを、出側配管に接続してある需要家の宅内に設置してある燃焼機器などを使用して実施するようにすると、事前に、需要家に在宅を依頼しておく必要があるとともに、その需要家の時間を拘束してしまう欠点があり、また、需要家が不在の場合は、パージ作業担当者は需要家が在宅になるまで待機しておく必要があるので、作業コストが増大する欠点があり、更には、パージ作業担当者が需要家の宅内に入ることを拒否された場合は、エアパージの実施そのものが不可能になる欠点がある。
そこで、需要家の宅内に設置してある燃焼機器などを使用することなく、新規ガスメータ内に空気が残留しないよう接続できるように、需要家の宅外における出側配管の途中に、分岐側開口をプラグなどで開閉自在に塞いである試験用チーを予め接続しておき、既設ガスメータに代えて、新規ガスメータを入側配管と出側配管とに接続したあと、入側配管から流入するガスで新規ガスメータ内の残留空気を試験用チーの分岐側開口を利用して排出するエアパージを実施して、既設ガスメータを新規ガスメータに交換するガスメータ交換方法（以下、第１従来技術という）や、入側配管内でのガスの通流を遮断した状態で、既設ガスメータを入側配管と出側配管から外して、出側配管に空気が流入しないように、出側配管をキャップなどで封止するとともに、新規ガスメータの入側口金のみを入側配管に接続して、入側配管から流入させたガスで新規ガスメータ内の残留空気を出側口金を通して排出するエアパージを実施した後、出側口金を出側配管に接続して、既設ガスメータを新規ガスメータに交換するガスメータ交換方法（以下、第２従来技術という）が提案されている(例えば、特許文献１参照)。
【０００３】
【特許文献１】特開２００３−１６６８６７号公報
【発明の開示】
【発明が解決しようとする課題】
【０００４】
しかしながら、需要家の宅内に設置してある燃焼機器などを使用することなく、新規ガスメータ内に空気が残留しないよう接続できるようにするにあたって、上記第１従来技術によれば、出側配管の途中に、分岐側開口をプラグなどで開閉自在に塞いである試験用チーを予め接続しておく必要があり、試験用チーが接続されていない場合はエアパージの実施そのものが不可能である。
そこで、試験用チーが接続されていない場合、例えば、ガスメータ交換時に出側配管の途中に貫通孔を明けて、その貫通孔を使用してエアパージを実施することが考えられるが、貫通孔を明ける作業や、エアパージを実施した後、その貫通孔を塞ぐ復旧作業に時間や手間が掛かる欠点があり、建物の改築などの際に出側配管が壁に埋め込まれているような場合は、出側配管に貫通孔を明けること自体が不可能である。
また、上記第２従来技術によれば、出側配管の途中に試験用チーを予め接続しておいたり、ガスメータ交換時に出側配管の途中に貫通孔を明けることなく、新規ガスメータ内に空気が残留しないよう接続できるが、新規ガスメータの入側口金のみを入側配管に接続して、入側配管から流入させたガスで新規ガスメータ内の空気を出側口金を通して排出するエアパージを実施した後、出側口金を出側配管に接続するので、新規ガスメータ内のエアパージを実施した後、その新規ガスメータの出側口金を出側配管に接続する作業に時間が掛かると、エアパージ済みの新規ガスメータ内に出側口金を通して空気が流入したり、出側配管に空気が流入したりして、新規ガスメータ内にも、出側配管内にも空気が残留するおそれがあり、接続作業に熟練を要する欠点がある。
本発明は上記実情に鑑みてなされたものであって、出側配管の途中に試験用チーを予め接続しておくことなく、また、特に熟練を要することもなく、新規ガスメータ内にも、出側配管内にも空気が残留しないように、既設ガスメータを新規ガスメータに交換できるようにすることを目的とする。
【課題を解決するための手段】
【０００５】
本発明の第１特徴構成は、入側口金を入側配管に着脱自在に接続してあるとともに、出側口金を出側配管に接続してある既設ガスメータを、新規ガスメータに交換するガスメータ交換方法であって、入側口金とガスメータ内部とを連通状態と遮断状態とに切り換え自在な入側開閉手段と、出側口金とガスメータ内部とを連通状態と遮断状態とに切り換え自在な出側開閉手段とを備えた新規ガスメータを使用して、その新規ガスメータにガスを充填して、前記入側開閉手段と前記出側開閉手段とを遮断状態に切り換えておき、前記既設ガスメータの前記入側口金と前記出側口金を前記入側配管と前記出側配管から外して、前記新規ガスメータの前記入側口金と前記出側口金を前記入側配管と前記出側配管に接続し、その後、前記入側開閉手段と前記出側開閉手段とを連通状態に切り換えて、前記既設ガスメータを前記新規ガスメータに交換する点にある。
【０００６】
〔作用及び効果〕
入側口金とガスメータ内部とを連通状態と遮断状態とに切り換え自在な入側開閉手段と、出側口金とガスメータ内部とを連通状態と遮断状態とに切り換え自在な出側開閉手段とを備えた新規ガスメータを使用して、その新規ガスメータにガスを充填して、入側開閉手段と出側開閉手段とを遮断状態に切り換えておくので、入側口金や出側口金を通して、新規ガスメータに充填してあるガスが流出したり、新規ガスメータに空気が流入するおそれがない。
そして、既設ガスメータの入側口金と出側口金を入側配管と出側配管から外して、ガスを充填してある新規ガスメータの入側口金と出側口金を入側配管と出側配管に接続し、その後、入側開閉手段と出側開閉手段とを連通状態に切り換えて、新規ガスメータを入側口金と出側口金を通して入側配管と出側配管に連通させるので、従来のように、新規ガスメータ内の残留空気を排出するエアパージを実施することなく、新規ガスメータ内に空気が残留しないように、既設ガスメータを新規ガスメータに手早く、かつ、簡便に交換できる。
従って、出側配管の途中に試験用チーを予め接続しておくことなく、また、特に熟練を要することもなく、新規ガスメータ内にも、出側配管内にも空気が残留しないように、既設ガスメータを新規ガスメータに交換できる。
【０００７】
本発明の第２特徴構成は、入側口金を入側配管に着脱自在に接続してあるとともに、出側口金を出側配管に接続してある既設ガスメータを、新規ガスメータに交換するガスメータ交換方法であって、互いに接続自在な一対のカプラーを設け、それらカプラーの各々に、互いに接続することによって開作動する常閉式の開閉手段を設け、前記一対のカプラーのうちの一方を、前記新規ガスメータの入側口金と出側口金の各々に取り付けて、その新規ガスメータにガスを充填しておき、前記既設ガスメータを前記入側配管と前記出側配管から外して、その入側配管と出側配管の各々に、前記一対のカプラーのうちの他方を取り付け、その後、前記入側配管と前記出側配管の各々に取り付けてある前記他方のカプラーに、前記新規ガスメータの入側口金と出側口金の各々に取り付けてある前記一方のカプラーを接続して、前記既設ガスメータを前記新規ガスメータに交換する点にある。
【０００８】
〔作用及び効果〕
互いに接続することによって開作動する常閉式の開閉手段を各々設けてある一対のカプラーのうちの一方を、新規ガスメータの入側口金と出側口金の各々に取り付けて、その新規ガスメータにガスを充填しておくので、入側口金や出側口金を通して、新規ガスメータに充填してあるガスが流出したり、新規ガスメータに空気が流入するおそれがない。
そして、既設ガスメータを入側配管と出側配管から外して、入側配管と出側配管への空気の流入を防止できるように、常閉式の開閉手段を設けてある他方のカプラーをその入側配管と出側配管との各々に取り付け、その後、それら他方のカプラーと、新規ガスメータの入側口金と出側口金との各々に取り付けてある一方のカプラーとを互いに接続することによって、一対のカプラーの各々に設けてある開閉手段を開作動させて、新規ガスメータの入側口金と出側口金を入側配管と出側配管に連通させるので、従来のように、新規ガスメータ内の空気を排出するエアパージを実施することなく、新規ガスメータを入側配管と出側配管とに手早く、かつ、簡便に連通接続できる。
従って、出側配管の途中に試験用チーを予め接続しておくことなく、また、特に熟練を要することもなく、新規ガスメータ内にも、出側配管内にも空気が残留しないように、既設ガスメータを新規ガスメータに交換できる。
その上、常閉式の開閉手段を設けてある他方のカプラーを入側配管と出側配管との各々に取り付けて、新規ガスメータの入側口金と出側口金との各々に取り付けてある一方のカプラーと互いに接続するので、交換した新規ガスメータを既設ガスメータとして、後日、その既設ガスメータを新規ガスメータに交換する必要が生じた際に、既設ガスメータを入側配管と出側配管から外しても、その入側配管にも出側配管にも空気が流入するおそれがない。
【０００９】
本発明の第３特徴構成は、入側口金を入側配管に着脱自在に接続してあるとともに、出側口金を出側配管に接続してある既設ガスメータを、新規ガスメータに交換するガスメータ交換方法であって、互いに接続自在な一対のカプラーを設け、それらカプラーを互いに接続することによって開作動する常閉式の開閉手段を前記一対のカプラーのうちの一方に設け、前記開閉手段を設けていない他方のカプラーを、新規ガスメータの入側口金と出側口金の各々に取り付けておき、前記既設ガスメータを前記入側配管と前記出側配管から外して、その入側配管と出側配管の各々に、前記一方のカプラーを取り付けた後、前記新規ガスメータの入側口金に取り付けてある前記他方のカプラーのみを前記入側配管に取り付けてある前記一方のカプラーと接続して、前記入側配管から流入するガスで、前記新規ガスメータ内の空気を前記出側口金に取り付けてある前記他方のカプラーを通して排出するエアパージを実施し、その後、前記出側口金に取り付けてある前記他方のカプラーを前記出側配管に取り付けてある前記一方のカプラーに接続して、前記既設ガスメータを前記新規ガスメータに交換する点にある。
【００１０】
互いに接続自在な一対のカプラーのうちの一方に、互いに接続することによって開作動する常閉式の開閉手段を設けて、既設ガスメータを入側配管と出側配管から外して、その常閉式の開閉手段を設けてある一方のカプラーをその入側配管と出側配管の各々に取り付けるので、入側配管と出側配管への空気の流入を防止できる。
そして、開閉手段を設けていない他方のカプラーを、新規ガスメータの入側口金と出側口金の各々に取り付けておいて、入側口金に取り付けてある他方のカプラーのみを入側配管に設けてある一方のカプラーに接続することによって、その一方のカプラーに設けてある開閉手段を開作動させて入側配管と入側口金とを連通させ、入側配管から流入するガスで、新規ガスメータ内の空気を出側口金に取り付けてある他方のカプラーを通して排出するエアパージを実施する。
その後、出側口金に取り付けてある他方のカプラーを出側配管に取り付けてある一方のカプラーに接続することによって、その一方のカプラーに設けてある開閉手段も開作動させて、出側配管と出側口金とを連通させるので、エアパージ済みの新規ガスメータの出側口金を、その新規ガスメータに空気が流入しないように、出側配管に手早く、かつ、簡便に連通接続できる。
従って、出側配管の途中に試験用チーを予め接続しておくことなく、また、特に熟練を要することもなく、新規ガスメータ内にも、出側配管内にも空気が残留しないように、既設ガスメータを新規ガスメータに交換できる。
【発明を実施するための最良の形態】
【００１１】
以下に本発明の実施の形態を図面に基づいて説明する。
〔第１実施形態〕
図１は、入側メータ口金１ａを入側ガス配管２ａの入側配管口金３ａに着脱自在に接続してあるとともに、出側メータ口金１ｂを出側ガス配管２ｂの出側配管口金３ｂに接続してある都市ガス用の既設ガスメータＡを示し、入側配管口金３ａと出側配管口金３ｂとを間隔保持具８でガスメータ接続用の間隔で保持するとともに、入側ガス配管２ａと出側ガス配管２ｂの下端側を地中に埋設して垂直に固定し、入側ガス配管２ａを都市ガス供給配管９に接続するとともに、出側ガス配管２ｂを需要家側の宅内配管１０に接続してあり、入側ガス配管２ａにはメータガス栓１１を設け、出側ガス配管２ｂには絶縁継手１２を設けてある。
尚、図１では、メータガス栓１１が開いている状態を示している。
【００１２】
前記入側配管口金３ａと出側配管口金３ｂには、図２にも示すように、内周側に雌ねじ部１３を形成したユニオン４ａ，４ｂを、予め、抜け止め状態で回転操作自在に装着あり、入側メータ口金１ａと出側メータ口金１ｂに、ユニオン４ａ，４ｂの雌ねじ部１３に螺合する雄ねじ部１５を形成して、入側メータ口金１ａを入側配管口金３ａに突き合わせて入側ユニオン４ａで着脱自在に接続するとともに、出側メータ口金１ｂを出側配管口金３ｂに突き合わせて出側ユニオン４ｂで接続して、既設ガスメータＡをガス配管２ａ，２ｂに所定姿勢で取り付けてある。
【００１３】
前記既設ガスメータＡは、フルイディック式ガスメータを備えたメータ本体１６に、コントローラや圧力スイッチ，感震器，遮断弁などを収納してある上部ケース１７を一体に備えた所謂マイコンメータで構成してあり、この既設ガスメータＡを、有効期限が経過する前などに、新規ガスメータＢに交換する本発明によるガスメータ交換方法を説明する。
【００１４】
前記新規ガスメータＢは、既設ガスメータＡと同様のマイコンメータで構成してあり、図３に示すように、既設ガスメータＡと同じ口径の入側メータ口金１ａと出側メータ口金１ｂとを、既設ガスメータＡと同じ間隔で設けてあり、入側メータ口金１ａとガスメータ内部とを連通状態と遮断状態とに切り換え自在な入側遮断弁（入側開閉手段）５ａと、出側メータ口金１ｂとガスメータ内部とを連通状態と遮断状態とに切り換え自在な出側遮断弁（出側開閉手段）５ｂとを備え、予め、ガスメータ内部に都市ガスを充填して、入側遮断弁５ａと出側遮断弁５ｂを遮断状態に切り換えてある。
尚、図３では、入側遮断弁５ａも出側遮断弁５ｂも遮断状態を示している。
【００１５】
そして、入側ガス配管２ａ内でのガスの通流をメータガス栓１１で遮断した状態で、入側ユニオン４ａと出側ユニオン４ｂを緩めて、図４（イ）に示すように、既設ガスメータＡを入側配管口金３ａと出側配管口金３ｂから外し、図４（ロ）に示すように、入側配管口金３ａと出側配管口金３ｂをゴム栓１８などの閉塞手段で塞いでおく。
【００１６】
次に、図４（ハ）に示すように、ゴム栓１８を外した入側配管口金３ａと出側配管口金３ｂに、新規ガスメータＢの入側メータ口金１ａと出側メータ口金２ｂをユニオン４ａ，４ｂで接続して、その後、入側遮断弁５ａと出側遮断弁５ｂを連通状態に切り換えるとともに、メータガス栓１１を開いて、既設ガスメータＡを新規ガスメータＢに交換する。
【００１７】
〔第２実施形態〕
図５は、ソケット６とプラグ７とからなる一対のカプラーを備えていて、プラグ７をソケット６に押し込んで互いに嵌合接続することによって開作動する常閉式の弁体などの開閉手段（図外）を、ソケット６とプラグ７の各々に設けてある、所謂、ワンタッチ式の管ジョイント１９の二個を使用して、既設ガスメータＡを新規ガスメータＢに交換する本発明によるガスメータ交換方法の別実施形態を示す。
【００１８】
前記管ジョイント１９は、ソケット６とプラグ７とを嵌合接続することによって、抜け止め状態で互いに固定できるように構成してあり、図６に示すように、ソケット６は、入側メータ口金１ａや出側メータ口金１ｂに突き合わせるソケット口金２０を備えていて、入側メータ口金１ａや出側メータ口金１ｂの雄ねじ部１５に螺合する雌ねじ部２１を形成したソケットユニオン２２を、予め、抜け止め状態で回転操作自在に装着してあり、プラグ７は、入側配管口金３ａや出側配管口金３ｂに突き合わせるプラグ口金２３と、入側ユニオン４ａや出側ユニオン４ｂに螺合する雄ねじ部２４を備えている。
【００１９】
前記新規ガスメータＢは、図７に示すように、入側メータ口金１ａと出側メータ口金１ｂの各々にソケット６をソケットユニオン２２で固定して、予め、工場などにおいてガスメータ内部に都市ガスを充填してある。
【００２０】
そして、第１実施形態と同様に、入側ガス配管２ａ内でのガスの通流をメータガス栓１１で遮断した状態で、入側ユニオン４ａと出側ユニオン４ｂを緩めて、既設ガスメータＡを入側配管口金１ａと出側配管口金１ｂから外し、図５（イ）に示すように、その入側配管口金１ａと出側配管口金１ｂの各々に、プラグ７を入側ユニオン４ａと出側ユニオン４ｂで固定する。
【００２１】
尚、既設ガスメータＡの入側メータ口金１ａと出側メータ口金１ｂを入側配管口金３ａと出側配管口金３ｂから外した後、その入側配管口金３ａと出側配管口金３ｂにプラグ７を固定するまでの間は、ゴム栓などの閉塞手段でその入側配管口金３ａと出側配管口金３ｂとを塞いでおいても良い。
【００２２】
次に、図５（ロ）に示すように、入側配管口金３ａと出側配管口金３ｂの各々に固定したプラグ７に、新規ガスメータＢの入側メータ口金１ａと出側メータ口金１ｂに固定してあるソケット６を押し込んで互いに嵌合接続することにより、ソケット６とプラグ７の各々に設けてある弁体を開作動させて、入側メータ口金１ａと出側メータ口金１ｂを入側配管口金３ａと出側配管口金３ｂに連通させ、既設ガスメータＡを新規ガスメータＢに交換する。
その他の構成は第１実施形態と同様である。
【００２３】
〔第３実施形態〕
図８は、ソケット６とプラグ７とからなる一対のカプラーを備えていて、プラグ７をソケット６に押し込んで互いに嵌合接続することによって開作動する常閉式の弁体などの開閉手段（図外）をプラグ７に設けてある、所謂、ワンタッチ式の管ジョイント１９の二個を使用して、既設ガスメータＡを新規ガスメータＢに交換する本発明によるガスメータ交換方法の別実施形態を示す。
【００２４】
前記新規ガスメータＢは、一対のカプラーのうちの常開のソケット６を、図７に示した状態と同様に、入側メータ口金１ａと出側メータ口金１ｂの各々にソケットユニオン２２で固定してある。
【００２５】
そして、第１実施形態と同様に、入側ガス配管２ａ内でのガスの通流をメータガス栓１１で遮断した状態で、入側ユニオン４ａと出側ユニオン４ｂを緩めて、既設ガスメータＡを入側配管口金３ａと出側配管口金３ｂから外し、図８（イ）に示すように、その入側配管口金３ａと出側配管口金３ｂの各々に、常閉式の弁体を設けてあるプラグ７を入側ユニオン４ａと出側ユニオン４ｂで固定する。
【００２６】
前記プラグ７のうちの、出側配管口金３ｂに固定する出側プラグ７ｂは、図９に示すように、プラグ口金２３を備えた口金側管部２５と、プラグ本体２６を備えた本体側管部２７とに互いに逆ねじの雄ねじ部２８を形成するとともに、これらの雄ねじ部２８に螺合する互いに逆ねじの雌ねじ部を備えたナット２９で一体に連結して、ナット２９の回転操作で伸縮自在に構成してあり、この出側プラグ７ｂを出側配管口金３ｂに収縮状態で固定しておいて、ナット２９の回転操作で、入側配管口金３ａに固定してある入側プラグ７ａと略同じ長さに伸張できるように構成してある。
【００２７】
次に、図８（ロ）に示すように、新規ガスメータＢの入側メータ口金１ａに固定してあるソケット６のみを入側配管口金３ａに固定してあるプラグ７ａに押し込んで互いに嵌合接続することにより、プラグ７ａに設けてある弁体を開作動させて、入側メータ口金１ａと入側配管口金３ａとを連通させ、メータガス栓１１を開いて、入側ガス配管２ａから流入するガスで、新規ガスメータＢ内の空気を出側メータ口金１ｂに設けてある常開のソケット６を通して排出するエアパージを実施する。
【００２８】
次に、図８（ハ）に示すように、出側プラグ７ｂをナット２９の回転操作で伸張させて、新規ガスメータＢの出側メータ口金１ｂに固定してあるソケット６に嵌合接続することにより、出側プラグ７ａに設けてある弁体を開作動させて、出側メータ口金１ｂと出側配管口金３ｂとを連通させ、既設ガスメータＡを新規ガスメータＢに交換する。
【００２９】
〔その他の実施形態〕
１．本発明によるガスメータ交換方法は、ガスメータを支持するにあたって、ガスメータを配管に接続して吊り下げ支持することによらずに、支持手段を別途設けて支持するように構成しても良い。
２．本発明によるガスメータ交換方法は、膜式ガスメータや回転子式ガスメータ，タービン式ガスメータ，渦式ガスメータなどの各種ガスメータを交換するために使用しても良い。
【図面の簡単な説明】
【００３０】
【図１】既設ガスメータの接続状態を示す正面図
【図２】要部の一部切欠き正面図
【図３】要部の正面図
【図４】ガスメータ交換方法の説明図
【図５】第２実施形態のガスメータ交換方法の説明図
【図６】要部の側面図
【図７】要部の正面図
【図８】第３実施形態のガスメータ交換方法の説明図
【図９】要部の分解側面図
【符号の説明】
【００３１】
１ａ  入側口金
１ｂ  出側口金
２ａ  入側配管
２ｂ  出側配管
５ａ  入側開閉手段
５ｂ  出側開閉手段
６    カプラー
７    カプラー
Ａ    既設ガスメータ
Ｂ    新規ガスメータ
【図１】
2006053071.tif 000003
【図２】
2006053071.tif 000004
【図３】
2006053071.tif 000005
【図４】
2006053071.tif 000006
【図５】
2006053071.tif 000007
【図６】
2006053071.tif 000008
【図７】
2006053071.tif 000009
【図８】
2006053071.tif 000010
【図９】
2006053071.tif 000011